(57)【要約】【課題】時計機能が備わった電子機器は、購入時に時刻を調べて設定する必要がある。また、放送受信装置等の電子機器は、居住地に応じたエリアコードを設定して選局を行う必要がある。これらの操作は手間である。【解決手段】電子機器６００を購入した時や引っ越しした時などにおいて、時刻やエリアコードを調べて入力しなくても、外部ネットワーク３０１と接続可能なサーバー１０１を介してそれらの情報を受信し、受信した情報を送信可能な赤外線装置５０１ａを、照明装置５００と一体またはその近傍に設置することにより、照明が当たっている部分に設置されている赤外線受信部が搭載された電子機器６００の時計の時刻やエリアコードを、手間をかけることなく、確実に設定または修正することができる。【選択図】        図１
2004350100.tif 000002
【特許請求の範囲】
【請求項１】
赤外線信号を受信し、受信した前記赤外線信号に基づいて内部機能に必要な情報を設定または修正する電子機器と、
前記電子機器に送信する情報を生成する情報生成手段と、
前記情報生成手段で生成された情報を伝送する伝送手段と、
前記伝送手段によって伝送される情報のなかから前記電子機器の前記内部機能に必要な情報を抽出する抽出手段と、
前記抽出手段によって抽出された情報を前記赤外線信号にして前記電子機器へ送信する赤外線装置とを備えた情報伝送システム。
【請求項２】
前記赤外線装置は、照明装置と一体またはその近傍に取り付けられていることを特徴とする請求項１のいずれかに記載の情報伝送システム。
【請求項３】
前記抽出手段は、前記電子機器の前記内部機能に必要な情報を指定するとともに、この指定した情報を抽出する時刻または抽出する時間間隔を設定する機能を有したことを特徴とする請求項１または２に記載の情報伝送システム。
【請求項４】
前記電子機器は、その前記内部機能に必要な情報を設定または修正することを要求する要求コマンドを赤外線信号にして前記赤外線装置へ送信する機能を有し、
前記赤外線装置は、前記電子機器からの赤外線信号を受信し、その赤外線信号の示す要求コマンドを前記抽出手段へ送信する機能を有し、
前記抽出手段は、前記赤外線装置から前記要求コマンドを受信したときに前記電子機器の前記内部機能に必要な情報を抽出するようにしたことを特徴とする請求項１〜３のいずれかに記載の情報伝送システム。
【請求項５】
前記電子機器を複数設けたことを特徴とする請求項１〜４のいずれかに記載の情報伝送システム。
【請求項６】
前記電子機器の内部機能に必要な情報は、標準時刻情報であることを特徴とする請求項１〜５のいずれかに記載の情報伝送システム。
【請求項７】
前記電子機器の内部機能に必要な情報は、エリアコード情報であることを特徴とする請求項１〜５のいずれかに記載の情報伝送システム。
【発明の詳細な説明】
【０００１】
【発明の属する技術分野】
本発明は、ネットワークを用いて、電子機器に搭載されている時計の時刻を標準時刻に設定または修正することおよび、電子機器が設置されている地域に応じたエリアコードを設定または修正するための情報伝送システムに関する。
【０００２】
【従来の技術】
電子機器には様々な機能が搭載されている。その中でも、時計機能は、多くの電子機器に搭載されているが、購入や引越しなどで時刻がずれた場合には、それぞれの電子機器の時刻を別々に設定または修正しなくてはならない。
【０００３】
例えば、多くの放送受信装置では自動時刻合わせ機能などと称した時刻設定機能が搭載されている。これは、日本放送協会の時報に基づいて時刻を設定または修正するものであるが、放送番組の延長などで時報が送られてこなかった場合や、設定時点で既に時報と２分以上のずれが生じている場合、設定時に電源が入っている場合には、時刻修正機能が働かない。
【０００４】
また、特許文献１では、ＧＰＳを用いて標準時刻に設定する方法が紹介されているが、電波が届きにくい屋内では標準時刻に設定または修正できないことが多い。
【０００５】
他方で、チューナー機能が搭載された電子機器は、設置された地域に対応した放送波を受信するには、予め用意されたエリアコード表からエリアコードを調べるか、電話番号や郵便番号を入力してエリアコードを設定しなければならない。
【０００６】
例えば、特許文献２では、標準時刻に設定または修正する場合と同様にＧＰＳを用いて現在位置を検出し、データベースを参照して現在位置に該当する放送局のチャンネル情報を取得し、オートサーチ手段を用いてチャンネル設定を行っている。しかし、これも標準時刻に設定または修正する場合と同様で、電波が届きにくい屋内では設定できないことが多い。
【０００７】
さらに、特許文献３では、移動体通信機器が移動体通信制御局からの送信信号を常に受信していることを利用して、通信制御局の所在データを移動体通信機で受信して、放送受信装置へ直接送信してエリアコードを設定する方法を利用している。
【０００８】
【特許文献１】
特開２０００−７５０７０号公報
【特許文献２】
特開２００１−２３０６８９号公報
【特許文献３】
特開平７−１４３４１６号公報
【０００９】
【発明が解決しようとする課題】
時計機能が備わった電子機器は、購入時に時刻を調べて設定する必要がある。このような電子機器に搭載された時計を手動で時刻設定するためには、時報を聞きながらタイミングを合わせて時刻を設定または修正する必要があり、手間がかかる。
【００１０】
また、放送受信装置では、居住地に応じたエリアコードを設定して選局を行う必要がある。このような電子機器のエリアコードの設定または修正も手動で行うには、電子機器が設置された地域の電話番号や郵便番号を調べて入力する必要があり、手間がかかる。特に最近では、携帯電話の普及に伴って電子機器が設置された地域の電話番号を知らない場合や、郵便番号変更に伴い、郵便番号を知らない場合も多々ある。
【００１１】
これまでにも時刻やエリアコードなどの設定または修正を行うシステムの提案は多々あったが、ＧＰＳアンテナなどの高価な装置を利用して行うものが多く、多数のメーカーから様々な機能が搭載された電子機器が発売されている現在、それらを一般のユーザーに利用してもらうのは困難である。
【００１２】
また、デジタル化時代には、時刻が正確であることは重要になってくる。デジタルテレビが普及すると、エリアコードの設定も複雑となり、入力する手間が省けると極めて便利になる。
【００１３】
本発明の目的は、電子機器を購入した時や引越しした時などに、電子機器に設定または修正すべき時刻やエリアコード等の情報を、手間をかけることなく、確実に設定または修正することができる情報伝送システムを提供することである。
【００１４】
【課題を解決するための手段】
本発明の情報伝送システムは、赤外線信号を受信し、受信した赤外線信号に基づいて内部機能に必要な情報を設定または修正する電子機器と、電子機器に送信する情報を生成する情報生成手段と、情報生成手段で生成された情報を伝送する伝送手段と、伝送手段によって伝送される情報のなかから電子機器の内部機能に必要な情報を抽出する抽出手段と、抽出手段によって抽出された情報を赤外線信号にして電子機器へ送信する赤外線装置とを備えている。
【００１５】
この構成によれば、情報生成手段で生成され伝送手段によって抽出手段へ伝送された時刻やエリアコード等の電子機器の内部機能に必要な情報が抽出手段によって抽出され、その情報を赤外線装置で赤外線信号にして電子機器へ送信することにより、電子機器の内部機能に必要な情報の設定または修正を手間をかけることなく、確実に行うことができる。
【００１６】
また、本発明において、赤外線装置が、照明装置と一体またはその近傍に取り付けられていることにより、電子機器の赤外線受信部が照明装置による照明が当たっている部分とほぼ同じ範囲に設置されていれば、赤外線装置からの赤外線信号を確実に受信でき、電子機器の内部機能に必要な情報の設定または修正が確実できる。
【００１７】
また、本発明において、抽出手段は、電子機器の内部機能に必要な情報を指定するとともに、この指定した情報を抽出する時刻または抽出する時間間隔を設定する機能を有した構成とすることにより、抽出手段により電子機器の内部機能に必要な情報を設定または修正する時刻または時間間隔を設定することができる。
【００１８】
また、本発明において、電子機器は、その内部機能に必要な情報を設定または修正することを要求する要求コマンドを赤外線信号にして赤外線装置へ送信する機能を有し、赤外線装置は、電子機器からの赤外線信号を受信し、その赤外線信号の示す要求コマンドを抽出手段へ送信する機能を有し、抽出手段は、赤外線装置から要求コマンドを受信したときに電子機器の内部機能に必要な情報を抽出するようにした構成とすることにより、電子機器から要求コマンドを発信するだけで必要な情報を設定または修正することができる。
【００１９】
また、本発明において、電子機器を複数設けることにより、複数の電子機器を同時にその内部機能に必要な情報を設定または修正することができる。例えば時計機能を搭載した複数の電子機器の時刻を同時に標準時刻に設定または修正することができる。
【００２０】
また、本発明において、電子機器の内部機能に必要な情報を、標準時刻情報やエリアコード情報とすることができる。
【００２１】
【発明の実施の形態】
以下、図面を参照して本発明の実施の形態を詳細に説明する。
【００２２】
図１は、本発明のネットワークを用いた情報伝送システムの構成例を示す図である。
【００２３】
図１において、外部ネットワーク３０１は、プロバイダー３０２に接続されている。プロバイダー３０２からの情報３０２ｅ，３０２ｆ，３０２ｇは、外部ネットワーク３０１を介し、伝送線路２０１によって、家庭やオフィス１に設置されているサーバー１０１に伝送される。サーバー１０１には、情報３０２ｅ，３０２ｆ，３０２ｇを内部ネットワークに伝送するために伝送線路４０１が接続されており、伝送線路４０１には、照明装置５００に一体またはその近傍に設置され、情報３０２ｅ，３０２ｆ，３０２ｇを送受信可能な赤外線送信部５０１ｂと赤外線受信部５０１ｃを備えた赤外線装置５０１ａが接続されている。さらに赤外線装置５０１ａからの情報３０２ｅ，３０２ｆ，３０２ｇを受信できる赤外線受信部６０１ｃ，６０２ｃ，６０３ｃ，６０４ｃ，６０５ｃと、赤外線装置５０１ａへ各電子機器６００からの要求コマンドを送信できる赤外線送信部６０１ｂ，６０２ｂ，６０３ｂ，６０４ｂ，６０５ｂとを備えた複数の電子機器６００（６０１，６０２，６０３，６０４，６０５）が設置されて、情報伝送システムが構成されている。
【００２４】
なお、リモコン６２０は、電子機器６００例えば放送受信装置６０１を制御するためのリモコンである。また、照明装置５００は、リモコン（図示せず）の操作により消灯・点灯等の切り替えが可能であり、この場合、リモコン信号を、赤外線装置５０１ａの赤外線受信部５０１ｃで受信し、電灯線で構成される伝送線路５０２を介して照明装置５００へ送信されるようにしている。
【００２５】
図２は、図１で述べたサーバー１０１の構成図である。
【００２６】
サーバー１０１には、外部ネットワーク３０１と繋がっている伝送線路２０１と接続できるように、外部ネットワーク接続端子１０１ｂが搭載されている。また、各電子機器６００と通信が行えるように、赤外線装置５０１ａと繋がっている内部ネットワーク用の伝送線路４０１と接続するための内部ネットワーク接続端子１０１ｃが搭載されている。また、サーバー１０１は、図１に示すように赤外線１０３によるリモコン１０２との送受信が可能である。使用者はリモコン１０２もしくはパソコン１０４を操作することにより、予め、時計機能が搭載された電子機器６０１，６０２，６０３，６０４，６０５の時刻を、特定の時刻にまたは一定時間ごとに、設定または修正しようとする場合に、その旨の情報（前述の特定の時刻または一定時間と、設定または修正しようとする電子機器の指定を含む情報）をサーバー１０１へ送信することができる。また、リモコン１０２もしくはパソコン１０４を操作することにより、予め、エリアコード情報を必要とする電子機器６０１（放送受信装置）のエリアコードを、特定の時刻にまたは一定時間ごとに、設定または修正しようとする場合に、その旨の情報（前述の特定の時刻または一定時間と、設定または修正しようとする電子機器の指定を含む情報）をサーバー１０１へ送信し、サーバー１０１ではそれらの情報を内蔵のメモリ１０１ａに記憶している。このメモリ１０１ａは、使用者が設定している本システムのデータを記録しており、他のシステムでも同様の設定を使う場合に取り外して使用可能なＳＤメモリカードなどの記憶メディアでもかまわない。この場合、設定したデータを持ち運べるという利点がある。
【００２７】
サーバー１０１は、リモコン１０２もしくはパソコン１０４の操作により、メモリ１０１ａに記憶された内容に基づき、例えば、伝送線路２０１から入力する標準時刻情報３０２ｅが、記憶されている特定の時刻になると、その標準時刻情報３０２ｅまたは同じく入力するエリアコード情報３０２ｆを伝送線路４０１および赤外線装置５０１ａを介して指定された電子機器６００へ送信し、その情報を必要とする電子機器６００では、その情報に基づいて時刻またはエリアコードの設定または修正を行う。
【００２８】
また、サーバー１０１は、リモコン１０２もしくはパソコン１０４の操作により、メモリ１０１ａに記憶された内容に基づき、例えば、メモリ１０１ａに記憶されている一定時間ごとに、入力する標準時刻情報３０２ｅまたはエリアコード情報３０２ｆを伝送線路４０１および赤外線装置５０１ａを介して電子機器６００へ送信し、その情報を必要とする電子機器６００では、その情報に基づいて時刻またはエリアコードの設定または修正を行う。この場合、リモコン１０２もしくはパソコン１０４の操作による内容がメモリ１０１ａに記憶された時点Ａから一定時間ごとに、標準時刻情報３０２ｅまたはエリアコード情報３０２ｆを電子機器６００へ送信して設定または修正を行うようにしてもよい（この設定または修正は、前述のメモリ１０１ａに記憶された時点Ａでは行われるようにしてもよいし行われないようにしてもよい）。あるいは、最初に設定または修正される時刻をリモコン１０２もしくはパソコン１０４の操作により設定しておき、その時刻に最初に設定または修正された後、一定時間ごとに設定または修正を行うようにしてもよい。
【００２９】
また、各電子機器６００は、必要とする情報（標準時刻やエリアコード）の設定または修正の要求コマンドを各赤外線装置の送信部６０１ｂ，６０２ｂ，６０３ｂ，６０４ｂ，６０５ｂから赤外線装置５０１ａの受信部５０１ｃへ送信でき、これを受け赤外線装置５０１ａは送信部５０１ｂから上記要求コマンドを伝送線路４０１を介してサーバー１０１へ送信できる。サーバー１０１は、いずれかの電子機器６００から送信された標準時刻、エリアコードの設定または修正の要求コマンドを受信すると、要求コマンドを送信した電子機器６００を判別し、要求コマンドに応じて、伝送線路２０１から入力する標準時刻情報３０２ｅまたはエリアコード情報３０２ｆを、伝送線路４０１および赤外線装置５０１ａを介して要求コマンドの送信があった電子機器６００へ送信し、その情報を必要とする電子機器６００では、その情報に基づいて時刻またはエリアコードの設定または修正を行う。
【００３０】
図１および図２で示した本実施の形態の構成によれば、外部ネットワーク３０１から入力された標準時刻情報３０２ｅやエリアコード情報３０２ｆは、伝送線路２０１を介してサーバー１０１に入力され、伝送線路４０１を介して赤外線装置５０１ａに送信され、照明装置５００と一体または近傍に設置された赤外線装置５０１ａから電子機器６００に送信されることにより、照明装置５００による照明が当たっている部分とほぼ同じ範囲に赤外線装置５０１ａからの赤外線も照射され、その範囲内に電子機器６００の赤外線受信部６０１ｃ，６０２ｃ，６０３ｃ，６０４ｃ，６０５ｃを配置しておくことで、確実に赤外線装置５０１ａからの情報３０２ｅ，３０２ｆを受信でき、電子機器６００の時刻やエリアコードの設定または修正が可能となる。また、各電子機器６００から、必要とする情報（標準時刻やエリアコード）の設定または修正の要求コマンドをサーバー１０１へ送信する場合も、照明が当たっている部分とほぼ同じ範囲内に電子機器６００の赤外線送信部６０１ｂ，６０２ｂ，６０３ｂ，６０４ｂ，６０５ｂを配置しておくことで、赤外線装置５０１ａで確実に要求コマンドを受信でき、サーバー１０１へ送信できる。
【００３１】
以上のように本実施の形態によれば、電子機器６００を購入した時や引越しした時などにおいて、時刻やエリアコード等を調べて入力しなくても、外部ネットワーク３０１と接続可能なサーバー１０１を介してそれらの情報を受信し、受信した情報を送信可能な赤外線装置５０１ａを、照明装置５００と一体またはその近傍に設置することにより、照明が当たっている部分とほぼ同じ範囲内に設置されている赤外線受信部が搭載された電子機器６００の時計の時刻やエリアコード等の情報を、手間をかけることなく、確実に設定または修正することができる。例えば、複数の電子機器６００に搭載されている時計の時刻を一括して全て標準時刻に設定または修正することや、サーバー１０１を介して送信されたエリアコード情報を放送受信装置６０１などに設定または修正することができる。また、サーバー１０１を設置することで、高価な端末などを使用しなくても、設定または修正することができる。
【００３２】
また、複数の電子機器６００が、同一メーカーの製品でなく、既に家庭やオフィス１で使用されている製品であっても、リモコン操作用に既存の赤外線装置が搭載されていれば、制御機能を持ったサーバー１０１を設置することで、電子機器６００の時刻やエリアコードを設定または修正することが可能となる。また、複数の電子機器６００が複数の部屋にわかれて設置されてあっても、各部屋に設置されている照明装置５００と一体またはその近傍に設置されている赤外線装置５０１ａとサーバー１０１とを伝送手段４００で接続することで、各部屋に設置されている電子機器６００に対して設定または修正が可能となる。
【００３３】
なお、本実施の形態では、外部ネットワーク３０１とサーバー１０１間の情報の伝送手段２００を、伝送線路２０１としたが無線でもよく、データ伝送が行えるものであればよい。伝送線路２０１には、電話線、専用線、電灯線、同軸線などを用いることができる。また、サーバー１０１と赤外線装置５０１ａ間の情報の伝送手段４００を、伝送線路４０１としたが無線でもよく、データ伝送が行えるものであればよい。伝送線路４０１には、電話線、専用線、電灯線、同軸線などを用いることができる。
【００３４】
また、標準時刻情報３０２ｅやエリアコード情報３０２ｆを提供してくれるプロバイダー３０２としては、現在、サービスを提供しているインターネットプロバイダー３０２ａでもよいし、標準時刻情報３０２ｅやエリアコード情報３０２ｆを提供してくれる電力会社３０２ｂ、放送局３０２ｃや行政などの公的機関３０２ｄがプロバイダーとなって情報３０２ｅ，３０２ｆ，３０２ｇを供給してもよい。例えば、エリアコード情報３０２ｆは、今後、電力会社３０２ｂが供給して、地域ごとに詳しく分けたものを用いれば、放送受信装置６０１のチャンネル設定のみならず、電力計の自動検針を行う際に、家庭やオフィス１のデータを容易に管理できる利点がある。
【００３５】
さらに、サーバー１０１を用いたが、サーバー１０１以外でも外部ネットワーク３０１からの情報３０２ｅ，３０２ｆ，３０２ｇを入力でき、伝送手段４００を介して赤外線装置５０１ａに出力できるものであればよく、例えばハブなどを用いれば小型で場所をとらなくてもよい。
【００３６】
さらに、サーバー１０１からの情報３０２ｅ，３０２ｆが伝送線路４０１を介して赤外線装置５０１ａに送信され、照明装置５００と一体または近傍に設置された赤外線装置５０１ａから電子機器６００に送信されることにより、電子機器６００の時刻やエリアコードは設定または修正されると述べたが、例えば、放送局３０２ｃから送信される放送波（標準時刻情報、エリアコード情報を含む）を受信用のテレビアンテナに接続された同軸線路からなる伝送線路２０２に、赤外線装置６０１ａを搭載した電子機器（放送受信装置）６０１を接続して、この電子機器６０１から、他の電子機器６０２，６０３，６０４，６０５の時刻またはエリアコードを赤外線装置５０１ａを介さないで他の赤外線装置６０２ａ，６０３ａ，６０４ａ，６０５ａへ送信し、設定または修正してもよい。この場合、電子機器（放送受信装置）６０１には放送波を受信するためにエリアコードが予め設定されており、電子機器６０１から他の電子機器６０２，６０３，６０４，６０５への時刻またはエリアコードの情報３０２ｅ，３０２ｆの送信およびその受信や、電子機器６０２，６０３，６０４，６０５の必要とする情報（標準時刻やエリアコード）の設定または修正の要求コマンドの送信およびその要求コマンドの電子機器６０１での受信は、各電子機器６００に搭載した赤外線装置６０１ａと赤外線装置６０２ａ，６０３ａ，６０４ａ，６０５ａの間で行われる。伝送線路２０２は、前述のテレビアンテナから放送受信装置６０１に接続されていることが多く、家庭やオフィス１の各部屋まで引き込まれていることが多い。従って、伝送線路２０２に接続可能な放送受信装置６０１などに送受信可能な赤外線装置６０１ａを搭載することで、放送受信装置６０１を用いて他の電子機器６０２，６０３，６０４，６０５の時刻やエリアコードを設定または修正することが可能となる。ただしこの場合、放送受信装置６０１に搭載された赤外線装置６０１ａと、他の電子機器６０２，６０３，６０４，６０５に搭載された赤外線装置６０２ａ，６０３ａ，６０４ａ，６０５ａとの間で情報や要求コマンドの送受信がなされるため、その送受信が可能となるように放送受信装置６０１と他の電子機器６０２，６０３，６０４，６０５との配置がなされている必要がある。この場合、サーバー１０１等で構成される抽出手段１００の機能を、放送受信装置６０１に持たせているものである。
【００３７】
以下、より具体的な一例として、ビデオテープレコーダー（以下、ビデオ）の時刻やエリアコードの設定または修正を行う場合を例に説明する。
【００３８】
図３は、ネットワークを用いた情報伝送システムの時刻やエリアコードの設定または修正を行う場合についての一例を示す図である。ビデオ６０６，６０８には、予約録画を行うために時計機能６０６ｄ，６０８ｃが搭載されている。また、チューナー機能を搭載しているので、各地域に応じたエリアコードを入力する機能６０６ｅ，６０８ｄも搭載されている。さらに、赤外線リモコン６０９で操作できる機能も搭載されている。なお、図３では他に電子機器６００の例として、時計機能６０７ｄと、エリアコードを入力する機能６０７ｅと、赤外線送信部６０７ｂおよび赤外線受信部６０７ｃを有する赤外線装置６０７ａとが搭載されたテレビ６０７も示されているが、ここではビデオ６０６，６０８を例に説明する。
【００３９】
ビデオ６０６，６０８は、赤外線装置６０６ａ，６０８ａを通して、各部屋に設置されている照明装置５００と一体またはその近傍に設置されている赤外線装置５０１ａと接続され、さらに伝送線路４０１を介してサーバー１０１に接続されている。また、サーバー１０１は、外部ネットワーク３０１とも接続されている。
【００４０】
時刻やエリアコードの設定または修正する機能を使用するには、はじめに、使用者は、ビデオ６０６，６０８を設置する際に、メーカーごとに異なる各赤外線装置６０６ａ，６０８ａのデータを予めサーバー１０１に入力する必要がある。その方法として、メーカーのホームページからサーバー１０１に直接ダウンロードする、またはメーカーと製品番号を入力することでサーバー１０１が自動的にメーカーのホームページから外部ネットワーク３０１を通じてダウンロードするのいずれかの方法を用いればよい。これにより、サーバー１０１は、各メーカーのビデオ６０６，６０８の種類に応じた赤外線データを送信することが可能となる。したがって、同一メーカー製品を使用していなくても、時刻やエリアコードの設定または修正を行うことができる。
【００４１】
次に、送信された情報３０２ｅ，３０２ｆを用いて、時刻やエリアコードを設定または修正するには、２つの手段がある。
【００４２】
既存の赤外線受信部６０８ｂだけを備えたビデオ６０８の場合には、サーバー１０１に予め設定した時刻になるか、一定時間が経過するまで待てばよい。
【００４３】
赤外線送信部６０６ｂと赤外線受信部６０６ｃを備えたビデオ６０６の場合には、上記の方法以外に、ビデオ６０６から設定または修正要求コマンドをサーバー１０１に対して送信し（ビデオ６０６のリモコン６０９などを用いて使用者が直接に設定または修正コマンドを送った場合も含む）、サーバー１０１が、外部ネットワーク３０１に接続を行い、標準時刻情報３０２ｅやエリアコード情報３０２ｆを受信して、その情報３０２ｅ，３０２ｆを基にしてビデオ６０６へ情報３０２ｅ，３０２ｆを送信すればよい。
【００４４】
以上の過程を経ることによって、時刻やエリアコードの設定または修正が可能となる。
【００４５】
【発明の効果】
以上説明した通り、本発明によれば、時刻情報やエリアコード情報等を必要としている複数の電子機器に対して、手間をかけずに、確実に設定または修正を行うことができる。仮に、それらの電子機器が同一メーカーの製品でなく、既に家庭やオフィスで使用されている製品であっても、リモコン操作用に赤外線装置が搭載されていれば、サーバーなどの制御機能を持ったものを設置することで、上述のいずれかのシステムを用いることで標準時刻またはエリアコードを設定または修正することが可能となる。また、中継装置として、照明装置と一体またはその近傍に設置されている赤外線装置を用いているので、各部屋に設置されている電子機器に対して設定または修正が可能となる。
【図面の簡単な説明】
【図１】本発明のネットワークを用いた情報伝送システムの構成例を示す図
【図２】図１のサーバーの構成図
【図３】本発明のネットワークを用いた情報伝送システムの時刻やエリアコードの設定または修正を行う場合についての一例を示す図
【符号の説明】
１００  抽出手段
２００，４００  伝送手段
３００  情報生成手段
５０１ａ，６０１ａ，６０２ａ，６０３ａ，６０４ａ，６０５ａ  赤外線装置
５０１ｂ，６０１ｂ，６０２ｂ，６０３ｂ，６０４ｂ，６０５ｂ  赤外線送信部
５０１ｃ，６０１ｃ，６０２ｃ，６０３ｃ，６０４ｃ，６０５ｃ  赤外線受信部
５００  照明装置
６００  電子機器
３０２ｅ  標準時刻情報
３０２ｆ  エリアコード情報
【図１】
2004350100.tif 000003
【図２】
2004350100.tif 000004
【図３】
2004350100.tif 000005